(57)【要約】　　　（修正有）【課題】アイロン台の裏面に設けた折り畳み自在の支持脚を立脚して床面でアイロン掛けが出来、更にその支持脚を折り畳んだままの状態で床面に設置しガタツキや傾斜のないアイロン台の提供。【課題の解決手段】アイロン台本体１の裏面１ａに一対でなる金属製のパイプＵの字形状に曲げた支持脚２，２’が折り畳み自在でなり、この支持脚２，２’の１箇所の第１回転支持３，３’は、金属製でコの字形状のスカシ３ａ，３ａ’付と脚受け４，４’で重ね軸支し、第２回転支持５，５’は合成樹脂で形状して支持脚２，２’の端部を軸支し、ストッパーピン６，６’がそれにコイルスプリング８，８’の付勢を受けて係合ロック可能で開成体での立脚と閉成体での折り畳みとでの相互でアイロン掛けを安定して出来るため、床面に密着して配置可能な構成にしている。【選択図】　　図１
2004130046.tif 000002
【特許請求の範囲】
【請求項１】
アイロン台本体（１）の裏面（１ａ）に一対でなる金属製のパイプをＵの字形状に曲げ部（２ａ）（２ａ’）を設けた支持脚（２）（２’）を具え、それらが折り畳み自在でなるアイロン台において、これらの夫々の支持脚（２）（２’）を各２個所で回転支持し、この支持脚（２）（２’）の一個所の第１回転支持（３）（３’）は、金属製でコの字形状のスカシ（３ａ）（３ａ’）付きと、脚受け（４）（４’）とで重ね軸支し、第２回転支持（５）（５’）は合成樹脂で形成して支持脚（２）（２’）の端部を軸支し、当該第１回転支持（３）（３’）に設けたコの字形状のスカシ（３ａ）（３ａ’）内には支持脚（２）（２’）に打込まれたストッパーピン（６）（６’）が回転係合するが、このストッパーピンは、絶えず支持脚（２）（２’）にさし込まれてその支持脚に打ち込れたノックピン（７）（７’）と第１回転支持（３）（３’）側面に挟まれた圧縮のコイルスプリング（８）（８’）の弾発力の作用でコの字形状のスカシ（３ａ）（３ａ’）の夫々の谷状（３ｂ）（３ｂ’）にストッパーピン（６）（６’）が付勢されて支持脚の回動が阻止され、このコイルスプリング（８）（８’）の付勢に抗して曲げ部（２ａ）（２ａ’）を引張ることで谷状（３ｂ）（３ｂ’）に付勢されたストッパーピン（６）（６’）は回動自在に相互の谷状（３ｂ）（３ｂ’）に出入れし、支持脚（２）（２’）は折り畳みの閉成体と開成体での立脚との相互を自在にロック可能にし、これらのロック自在でなる支持脚（２）（２’）のアイロン台本体（１）の裏面（１ａ）での相互の設定間隔寸法（Ａ）と当該金属製のパイプＵの字形状に曲げ（２ａ）（２ａ’）を設けた支持脚（２）（２’）の平行して水平に伸びる上下の間隔寸法（Ｂ）とがほぼ均等の寸法にすることで、この支持脚（２）（２’）が折り畳んだ状態で重なり合ってロックされ、床面の設置時にアイロン台本体（１）がガタツキや傾斜のない安定的に床面と密着可能にし支持脚（２ａ）（２ａ’）の開成体と閉成体での両用アイロン掛け可能にしたことを特徴とするアイロン台。
【請求項２】
上記するアイロン台において、第１回転支持（３）（３’）をアイロン台本体（１）の裏面（１ａ）に隣接対向し、脚受け（４）（４’）はそれに重ね合わせて支持脚（２）（２’）を回転軸支し、第１回転支持（３）（３’）を支持脚（２）（２’）の開成・閉成体側に露出しないようにしたことを特徴とする請求項１記載のアイロン台。
【請求項３】
上記する金属製のパイプ状でなるＵの字形状の支持脚（２）（２’）の床面と接触面の金属製のパイプ状にクッション性のスベリ止め（Ｃ）を巻装したことを特徴とする請求項１又は２項記載のアイロン台。
【請求項４】
上記する金属製のパイプ状でなるＵの字形状の支持脚（２）（２’）の夫々の先端部を保持自在にするための弾力性のあるクリップ体（Ｄ）をアイロン台（１）の裏面（１ａ）に固定したことを特徴とする請求項１．２又は３項記載のアイロン台。
【発明の詳細な説明】
【０００１】
【発明の属する技術分野】この発明は、アイロン台に関し、詳しくは開成体と閉成体可能な一対の支持脚を具備するアイロン台が、開成体でなる支持脚での立脚と折り畳んでの閉成体でなる支持脚状態でアイロン掛けの両用使用が出来、これらの開成体と閉成体とのロックを確実にしたアイロン台に関する。
【０００２】
【従来の技術】この種の従来の技術として、特開平１１−１１４３００号公報で開示するアイロン台が知られる。これらを図３で述べるに、アイロン台本体１０１の一対の支持脚１０２、（１０２’）を折り畳んだ閉成体でのアイロン台本体１０１の裏面１０１ａでの全体を示す斜視図で、アイロン台本体１０１を所定の高さに水平に保持する一対でなる金属製パイプＵの字形状に曲げ部１０２ａ（１０２ａ’）を具えた支持脚１０２（１０２’）がアイロン台本体１０１を所定の高さに水平面保持と折り畳み収納自在にしている。
【０００３】この２本の支持脚１０２（１０２’）の一辺を夫々各２個所で回転支持し、１個所の第１回転支持１０３（１０３’）は金属製のＬ字形伏のスカシ１０３ａ（１０３ａ’）付と第２回転支持部１０５（１０５’）とで固定し、このＬの字形状のスカシ１０３ａ（１０３ａ’）の穴には、支持脚部１０２（１０２’）に固定したストッパーピン部１０６（１０６’）を挿入しこのＬの字形状の穴の鍵形部１０３ｂ（１０３ｂ’）にストッパーピン部１０６（１０６’）が嵌合した位置では２本の支持脚部１０２（１０２’）はアイロン台本体１０１の裏面１０１ａにおいてロック状態に立脚し、支持脚部１０２（１０２’）のそれぞれが保持される。
【０００４】収納時には２本の支持脚部１０２（１０２’）の曲げ部１０２ａ（１０２ａ’）を第２回転支持部１０５（１０５’）に設けたコイルスプリング部１０８（１０８’）の付勢に抗して引張り、支持脚部１０２（１０２’）を約９０度回転させて、アイロン台本体１０１の裏面１０１ａに密着させた位置に折り畳むことのできるように構成している。
【０００５】
【発明が解決しようとする課題】しかしながら上記する従来技術では、アイロン台本体１０１の裏面１０１ａに一対の２本の支持脚１０２（１０２’）の一辺を夫々各２個所での回転支持の、第１回転支持１０３（１０３’）と第２回転支持１０５（１０５’）との固定は、夫々の支持脚１０２（１０２’）の設定間隔寸法Ａ’と当該金属製のパイプＵの字形状に曲げ１０２ａ（１０２ａ’）を設けた平行して水平に伸びる上下の間隔寸法Ｂ’とは大幅に違うことで、図３で示すように、アイロン台本体１０１の裏面１０１ａの一対のうち一体の支持脚１０２を始めに折り畳み、裏面１０１ａに密着し、その後に他の１本の支持脚１０２’を折り畳んだ状態で、始めの支持脚１０２の曲げ部１０２ａに重なることで、同一面での裏面１０１ａに固定される回転支持のため重なる支持脚１０２は大きく傾斜したままに夫々の支持脚１０２（１０２’）が保持されることで、これらの傾斜するアイロン台の床面との密着がないことでガタ付が多く支持脚１０２（１０２’）を折り畳んだ状態での衣類のアイロン掛けは全く出来ないという課題がある。即ち前記する支持脚１０２（１０２’）の設定間隔寸法Ａ’が金属製のパイプＵの字形状に曲げ部１０２ａ（１０２ａ’）を設けた平行して水平に伸びる上下の間隔寸法が大幅に大きくして、支持脚１０２（１０２’）の全体を高く且つ夫々の支持脚１０２（１０２’）の開きをハの字的にするために夫々の寸法差が発生してしまうという課題である。
【０００６】そしてまた、従来技術でのアイロン台はアイロン台本体１０１の裏面１０１ａに設定する一対でなる支持脚１０２（１０２’）の回転支持での第１回転支持１０３（１０３’）の固定が支持脚１０２（１０２’）の開成と閉成体側に露出することでその第１回転支持１０３（１０３’）のスカシ１０３ａ（１０３ａ’）内で作動するストッパーピン１０６（１０６’）の動きが露出することで衣類を挟んだり、異物を巻き込んだりすることで夫々の一対の支持部１０２（１０２’）の開成と閉成体に支障をきたすなどの課題がある。
【０００７】次に、前記する第１回転支持１０３（１０３’）のスカシ１０３ａ（１０３ａ’）がＬの字形状にしていることで、支持脚１０２（１０２’）が開成体でアイロン台本体１０１が立脚した際でのロック状態はその穴の鍵形部１０３ｂ（１０３ｂ’）にストッパーピン１０６（１０６’）が嵌合してロックすることで支持脚が安定して床曲に配置するが、収納時に２本の支持脚１０２（１０２’）の曲げ部１０２ａ（１０２ａ’）を引張ってアイロン台本体１０１の裏曲１０１ａに折り畳んだ状態で、Ｌの字形状のためストッパーピン１０６（１０６）のロック状態があまく、使用時に利用者が、アイロン台本体１０１を両手で持って床面などから移動する際に１０２（１０２’）の夫々の自重によって咄嗟に開成体になるなどの課題がある。
【０００８】
【課題を解決するための手段】この発明は、かかる課題を解決するために、請求項１での発明は、図１で述べるように、アイロン台本体１の裏面１ａに一対でなる金属製のパイプＵの字形状に曲げ部２ａ（２ａ’）を設けた支持脚２（２’）のこれらの夫々の支持脚２（２’）の各２箇所での回転支持に具備する第１回転支持部３（３’）と脚受４（４’）のアイロン台本体１の裏面１ａでの相互の夫々の支持脚２（２’）の設定間隔寸法Ａと当該金属製のパイプＵの字形状に曲げ２ａ（２ａ’）を設けた支持脚２（２’）の平行して水平に伸びる上下の間隔寸法Ｂとが同等の間隔寸法にすることで、これらの支持脚２（２’）が折り畳んだ状態で重なり合ってロックされ、床面に設置時にアイロン台本体１がガタツキや傾斜のない安定的に床面と密着可能にしている。
【０００９】次に請求項２での発明は、上記するアイロン台において、第１回転支持３（３’）をアイロン台本体１の裏面１ａに隣接対向し、脚受け４（４’）はそれの反対側に設けて、支持脚２（２’）を軸支し、第１回転支持２（２’）を支持脚２（２’）の開成、閉成体側に夫々露出しないようにし、外部の衣類や異物が開成、閉成体時の作動にはさみ込まれたりすることのない構成である。
【００１０】次に請求項３での発明は、図４で述べるように上記するアイロン台が立脚、折り畳んだ状態で、床面との密着をより安定させるためのクッション性のスベリ止めＣを金属製のパイプ状でなるＵの字形状の支持脚２（２’）に巻装する構成である。
【００１１】次に請求項４での発明は、再度図４で述べるに、上記する金属製のパイプ状でなるＵの字形状の支持脚２（２’）の夫々の先端部を保持自在にするための弾力性のあるクリップ体Ｄをアイロン台本体１の裏面１ａに固定して閉成体での支持脚２（２’）のロックを確実にした構成である。
【００１２】
【発明の実施の形態】以下に図示の実施例に基づいて本発明を更に詳細に説明する。即ち図１．２は本発明での第１実施例に基づく全体を示す斜視図で衣類カバーを巻装してなる合成樹脂製のアイロン台本体１の裏面１ａに一対でなる金属製パイフをＵの字形状に曲げ部２ａ（２ａ’）を設けた支持脚２（２’）を具え、それらが折り畳み自在でなるアイロン台である。
【００１３】これらの夫々の支持脚２（２’）は各２個所で回転支持し、この支持脚２（２’）の１個所の第１回転支持３（３’）は、金属製のコの字形状のスカシ３ａ（３ａ’）付と脚受４（４’）とで軸支し、第２回転支持５（５’）は合成樹脂で形成し、支持脚２（２’）の端部を軸支する。
【００１４】当該第１回転支持３（３’）に設けたコの字形状のスカシ３ａ（３ａ’）内には支持脚２（２’）に打ち込まれたストッパーピン６（６’）が係合するが、このストッパーピンは絶えず支持脚２（２’）にさし込まれて、その支持脚に打ち込まれたノックピン７（７’）と第１回転支持３（３’）側面に挟まれた圧縮のコイルスプリング８（８’）の弾発力の作用でコの字形状のスカシ３ａ（３ａ’）の夫々の谷状３ｂ（３ｂ’）に付勢されて支持脚の回転が阻止される。
【００１５】これらのコイルスプリング８（８’）の付勢に抗して曲げ部２ａ（２ａ’）を引張ることで谷状３ｂ（３ｂ’）に付勢されたストッパーピン６（６’）は回転自在に相互の谷状３ｂ（３ｂ’）に出し入れし、支持脚２（２’）は折り畳みの閉成体と開成体での立脚との相互を自在にロック可能にしている。
【００１６】これらのロック自在でなる支持脚２（２’）のアイロン台本体１の裏面１ａでの相互の設定間隔寸法Ａと当該金属製のパイプＵの字形状に曲げ２ａ（２ａ’）を設けた支持脚２（２’）の平行に伸びる上下の間隔寸法Ｂとがほぼ均等の寸法にする構成である。
【００１７】そして、この支持脚２（２’）が折り畳んだ状態で重なり合ってロックされ、床面に設置時にアイロン台本体１がガタツキや傾斜のない安定的に床面と密着可能にし、アイロン台の折り畳んだ状態で安定してアイロン掛けの出来るアイロン台にしている。
【００１８】次に再度図１．２は本発明での第２実施例に基づく全体を示す斜視図で、上記するアイロン台において、第１回転支持３（３’）をアイロン台本体１の裏面１ａに隣接対向し、脚受４（４’）はそれの反対側に設けて、支持脚２（２’）を軸支し、第１回転支持２（２’）を支持脚２（２’）の開成、閉成体側に露出しないようにしている。
【００１９】次に、図４は本発明での第３実施例に基づく全体を示す斜視図で、上記する金属製のパイプ状でなるＵの字形状の支持脚２（２’）の床面と接触面の金属製のパイプ状にクッション性のゴム質でのスベリ止めＣを巻装してアイロン台の横スベリなどのない構成である。
【００２０】次に再度図４は本発明での第４実施例に基づく全体を示す斜視図で、上記する金属製のパイプ状でなるＵの字形状の支持脚２（２’）の夫々の先端部を保持自在にするための弾力性のあるクリップＤを、アイロン台本体１の裏面１ａに固定してアイロン台の支持脚２（２’）の閉成体でのロック状態を確実にした構成である。
【００２１】
【発明の効果】本発明は上述の通り構成作用するので次の優れた効果を奏する。即ち、請求項１で述べるように、アイロン台本体の裏面に設けた開成体と閉成体でのロック可能なＵの字形状の一対でなる支持脚の夫々が折り畳んだ状態で重なり合ってロックされ、床面に設置時アイロン台本体がガタツキや傾斜のない安定的に床面と密着することでアイロン台本体が立脚してアイロン掛けが出来ることと支持脚を折り畳んでのアイロン掛の両用アイロン台を提供出来る。
【００２２】次に請求項２で述べるに、アイロン台本体の裏面に設けた一対の支持脚を回転支持する第１回転支持の具備するコの字形状のスカシ内で移動するストッパーピンの動きが外部に出ることがない為、支持脚の開成し開閉体での作動時に衣類を挟んだり、異物を挟んだりすることのない安全なアイロン台を提供出来る。
【００２３】また、請求項３で述べるように、支持脚を折り畳んだ状態でアイロン掛けを行うのに支持脚にスベリ止めを設けることで横スベリやガタツキのないアイロン台を提供出来る。
【００２４】また次に請求項４で述べるように、支持脚が折り畳んだ状態での支持脚の夫々が弾力性のあるスナップ性のクリップ体で保持するすることで支持脚の折り畳んだ状態での移動や収納保管に自然に支持脚の開成のないアイロン台を提供出来る。
【図面の簡単な説明】
【図１】本発明に係わる第１．２実施例での一部断面と要部での斜視図である。
【図２】本発明に係わる支持脚の折り畳んだ状態での裏面での全体斜視図である。
【図３】従来技術での全体を示す裏面での斜視図である。
【図４】本発明に係わる第３．４実施例での支持脚の折り畳んだ状態での全体斜視図である。
【符号の説明】
１．１０１　　　　　　　　　アイロン台本体
１ａ．１０１ａ　　　　　　　裏面
２．２’．１０２．１０２’　支持脚
２ａ．２ａ’．１０２ａ．１０２ａ’　曲げ部
３．３’．１０３ａ．１０３ａ’　　　第１回転支持
３ａ．３ａ’．１０３ａ．１０３ａ’　スカシ
３ｂ．３ｂ’　　　　　　　　　　　　谷状
１０３ｂ．１０３ｂ’　　　　　　　　鍵形部
４．４’　　　　　　　　　　　　　　脚受
５．５’．１０５．１０５’　　　　　第２回転支持
６．６’．１０６．１０６’　　　　　ストッパーピン
７．７’　　　　　　　　　　　　　　ノックピン
８．８’．１０８．１０８’　　　　　コイルスプリング
【図１】
2004130046.tif 000003
【図２】
2004130046.tif 000004
【図３】
2004130046.tif 000005
【図４】
2004130046.tif 000006